(57)【要約】【課題】ハンドホール内において約５０ｋｇ以上の重量物であるハンドホール蓋をしっかりと受け止めてハンドホール蓋の落下を確実に防止することができ、しかも、その取り付けが容易である、ハンドホール蓋の落下防止装置を提供する。【解決手段】本発明に係るハンドホール蓋の落下防止装置は、それぞれの端部に複数のアジャスタボルトを取り付けているメインパイプとストロークパイプを長さ調整可能に接続したパイプ治具を２個備え、２個のパイプ治具の間に落下防止部材を取り付けている。また、アジャスタボルトは、端部に圧着部を備えている。さらに、メインパイプとストロークパイプのそれぞれの端部に、３個のアジャスタボルト螺着用ナット部を設け、この３個のアジャスタボルト螺着用ナット部を介して、３個のアジャスタボルトを取り付けている。【選択図】図８
2010233412.tif 000002
【特許請求の範囲】
【請求項１】
それぞれの端部に複数のアジャスタボルトを取り付けているメインパイプとストロークパイプを長さ調整可能に接続したパイプ治具を２個備え、２個のパイプ治具の間に落下防止部材を取り付けていることを特徴とするハンドホール蓋の落下防止装置。
【請求項２】
アジャスタボルトは、端部に圧着部を備えている請求項１に記載のハンドホール蓋の落下防止装置。
【請求項３】
メインパイプとストロークパイプのそれぞれの端部に、複数のアジャスタボルト螺着用ナット部を設け、この複数のアジャスタボルト螺着用ナット部を介して、複数のアジャスタボルトを取り付けている請求項１または２に記載のハンドホール蓋の落下防止装置。
【請求項４】
メインパイプとストロークパイプのそれぞれの端部に、３個のアジャスタボルト螺着用ナット部を設け、この３個のアジャスタボルト螺着用ナット部を介して、３個のアジャスタボルトを取り付けている請求項１乃至３のいずれかに記載のハンドホール蓋の落下防止装置。
【請求項５】
メインパイプとストロークパイプは、長さ調整部を介して接続されており、この長さ調整部は、メインパイプの長手方向に沿って設けた複数のピン挿入孔と、このピン挿入孔に対応してストロークパイプの長手方向に沿って設けた複数のピン挿入孔を備え、メインパイプにストロークパイプを挿入し、互いに合致している両ピン挿入孔に固定ピンを挿入するように形成されている請求項１乃至４のいずれかに記載のハンドホール蓋の落下防止装置。
【請求項６】
落下防止部材は、ケブラー繊維を素材とする防護ベルトや防護ネットである請求項１乃至５のいずれかに記載のハンドホール蓋の落下防止装置。
【発明の詳細な説明】
【技術分野】
【０００１】
本発明は、ハンドホール蓋がハンドホール内に落下してしまう事故の発生を防止するための、ハンドホール蓋の落下防止装置に関するものである。
【背景技術】
【０００２】
従来におけるこの種の落下防止装置としては、例えば、特許文献１に開示されているようなマンホール用落下防止装置が存在する。
【０００３】
この装置は、マンホールの内壁とある程度の隙間をもってマンホール内上部、即ち、上部開放部近傍に挿入される円板形状を備えたメッシュ構造の本体と、この本体をマンホール蓋枠に着脱自在に固定する固定部材を備えている。
【０００４】
このマンホール蓋枠は、略コの字形状を有しており、開放された側を上にした状態で、マンホール外部に包囲されたマンホール内上部に取り付けられ、このマンホール蓋枠のマンホール中心部側に配設されたフランジ部に、固定部材を固定するためのボルトが貫通するボルト穴が設けられている。即ち、このフランジ部に、固定部材が着脱自在に固定されるようになっている。
【０００５】
ただ、一般的なマンホール蓋は形状が丸いため、マンホール内に落下することはないのであるが、ハンドホール蓋の場合では、形状が矩形であるため、蓋の向きによってはハンドホール内に落下する可能性がある。
【０００６】
例えば、ハンドホール蓋を立てた状態にした際には、ハンドホール蓋自体がハンドホールの上部開口部の対角線に沿って挿入できる状態となるから、容易に落下してしまうのである。これによって、ハンドホール内の種々のケーブル類を損傷する等の多大なる被害を蒙るのである。
【０００７】
このため、従来においては、特許文献２に開示されているように、マンホールの開口部の周りに設置される矩形の受枠に、少なくとも一つの矩形の蓋体を嵌合させて、少なくとも一つの蓋体により、マンホールの開口部を開閉可能に覆蓋するようにした構造のマンホール蓋の転落防止構造が提案されている。
【０００８】
この装置は、受枠の内方に、矩形形状を呈するネット状またはシート状の編織物を、該受枠に嵌合させる蓋体に対応して、その下方で、且つ該マンホール開口部の該蓋体による覆蓋部分に広げた状態で、配置すると共に、該矩形の編織物における、互いに対向位置する少なくとも一組の辺縁部のそれぞれの複数箇所において、該受枠の内側部位に着脱可能に取り付けることにより、該開口部からの前記蓋体の転落を防止するように構成されている。
【０００９】
そして、この構造において、前記受枠の内側部位に取り付けられる前記編織物の少なくとも一組の辺縁部のそれぞれに、該受枠の内側部位に沿って延びる長手の棒状乃至は板状を呈し、該編織物における外部荷重に対する応力を該長手の方向に分散させる応力分散部材を取り付けると共に、該応力分散部材と該受枠の内側部位とを、それらの少なくとも何れか一方に対して着脱可能とした複数の連結部材にて連結させることにより、前記編織物を前記受枠の内側部位に着脱可能に取り付け得るものである。
【００１０】
さらに、特許文献３に開示されているように、家具転倒防止用またはトイレ等の棚保持用の突っ張り棒が存在し、これを使ってハンドホール蓋の落下防止装置とすることも考えられる。
【００１１】
この突っ張り棒は、直管の軸方向一端にねじ棒を突設し、該ねじ棒に回動押圧部材を螺合し、該回動押圧部材の回動により支持面に突っ張って支持するようにして成り、前記ねじ棒基部または圧接部材に当接するカムを配設し、該カムの回動軸と一体的に連結したロックレバーの回動によりカムがねじ棒基部または圧接部材を押圧するように構成されている。
【先行技術文献】
【特許文献】
【００１２】
【特許文献１】特開平  ７−２０７６９１号公報
【特許文献２】特開平１０−２０４９０３号公報
【特許文献３】特開平  ９−２６２１４７号公報
【発明の概要】
【発明が解決しようとする課題】
【００１３】
しかしながら、上記した特許文献１の落下防止装置は、円形のマンホール用であることから、形状の異なるハンドホール蓋の落下防止装置として利用することは困難である。
【００１４】
また、特許文献２のマンホール蓋の転落防止構造は、マンホールの開口部の周りに設置される矩形の受枠に、少なくとも一つの矩形の蓋体を嵌合させて、少なくとも一つの蓋体により、マンホールの開口部を開閉可能に覆蓋すると同時に、受枠の内方に、矩形形状を呈するネット状またはシート状の編織物を、該受枠に嵌合させる蓋体に対応して、その下方で、且つ該マンホール開口部の該蓋体による覆蓋部分に広げた状態で配置することから、構造が非常に複雑で且つ高価なものとなる。
【００１５】
さらに、特許文献３の突っ張り棒は、カムの回動軸と一体的に連結したロックレバーの回動によりカムがねじ棒基部または圧接部材を押圧する構成であるため、これをハンドホール蓋の落下防止装置として採用する場合、このようなカムによる突っ張りでは強度が充分なものとはいえず、約５０ｋｇ以上の重量を有するハンドホール蓋が落下してきた場合には、その衝撃と荷重に耐えられないものとなる。
【００１６】
そこで、本発明は如上のような従来存した諸事情に鑑み創出されたもので、ハンドホール内において約５０ｋｇ以上の重量物であるハンドホール蓋をしっかりと受け止めてハンドホール蓋の落下を確実に防止することができ、しかも、その取り付けが容易である、ハンドホール蓋の落下防止装置を提供することを目的とする。
【課題を解決するための手段】
【００１７】
本発明に係る、ハンドホール蓋の落下防止装置は、それぞれの端部に複数のアジャスタボルトを取り付けているメインパイプとストロークパイプを長さ調整可能に接続したパイプ治具を２個備え、２個のパイプ治具の間に落下防止部材を取り付けていることで、上述した課題を解決した。
【００１８】
また、アジャスタボルトは、端部に圧着部を備えていることで、同じく上述した課題を解決した。
【００１９】
さらに、メインパイプとストロークパイプのそれぞれの端部に、複数のアジャスタボルト螺着用ナット部を設け、この複数のアジャスタボルト螺着用ナット部を介して、複数のアジャスタボルトを取り付けていることで、同じく上述した課題を解決した。
【００２０】
また、メインパイプとストロークパイプのそれぞれの端部に、３個のアジャスタボルト螺着用ナット部を設け、この３個のアジャスタボルト螺着用ナット部を介して、３個のアジャスタボルトを取り付けていることで、同じく上述した課題を解決した。
【００２１】
加えて、メインパイプとストロークパイプは、長さ調整部を介して接続されており、この長さ調整部は、メインパイプの長手方向に沿って設けた複数のピン挿入孔と、このピン挿入孔に対応してストロークパイプの長手方向に沿って設けた複数のピン挿入孔を備え、メインパイプにストロークパイプを挿入し、互いに合致している両ピン挿入孔に落下防止用の固定ピンを挿入するように形成されていることで、同じく上述した課題を解決した。
【００２２】
また、落下防止部材は、ケブラー繊維を素材とする防護ベルトや防護ネットであることで、同じく上述した課題を解決した。
【発明の効果】
【００２３】
本発明に係る、ハンドホール蓋の落下防止装置は、それぞれの端部に複数のアジャスタボルトを取り付けているメインパイプとストロークパイプを長さ調整可能に接続したパイプ治具を２個備え、２個のパイプ治具の間に落下防止部材を取り付けていることから、ハンドホール内で仮にハンドホール蓋が落下した場合であっても、ハンドホール内における２個のパイプ治具そのものと、２個のパイプ治具の間に存在する落下防止部材により、約５０ｋｇ以上の重量物であるハンドホール蓋をしっかりと受け止めることができる。
【００２４】
その為、ハンドホール内における安全を確保すると共に、ハンドホール蓋の落下により種々のケーブル類が損傷してしまう事態の発生も防止できるのである。
【００２５】
また、アジャスタボルトは、端部に圧着部を備えていることから、このアジャスタボルトの圧着部をハンドホール内壁面に強く押し付けて、ハンドホール内壁面に対する突っ張り強度を充分に得ることができ、しかも、ハンドホール内への取り付け作業も簡単に行える。
【００２６】
さらに、メインパイプとストロークパイプのそれぞれの端部に、複数のアジャスタボルト螺着用ナット部を設け、この複数のアジャスタボルト螺着用ナット部を介して、複数のアジャスタボルトを取り付けていることから、このアジャスタボルトの圧着部をハンドホール内壁面に強く押し付けて、約５０ｋｇ以上の重量物であるハンドホール蓋をしっかりと受け止めてハンドホール蓋の落下を防止した突っ張り強度を確実に得ることができる。
【００２７】
また、メインパイプとストロークパイプのそれぞれの端部に、３個のアジャスタボルト螺着用ナット部を設け、この３個のアジャスタボルト螺着用ナット部を介して、３個のアジャスタボルトを取り付けていることから、ハンドホール蓋のの落下を防止した突っ張り強度を確実に得ると共に、３個のアジャスタボルトが比較的に邪魔にならず、ハンドホール内における作業性も良好となる。
【００２８】
加えて、メインパイプとストロークパイプは、長さ調整部を介して接続されており、この長さ調整部は、メインパイプの長手方向に沿って設けた複数のピン挿入孔と、このピン挿入孔に対応してストロークパイプの長手方向に沿って設けた複数のピン挿入孔を備え、メインパイプにストロークパイプを挿入し、互いに合致している両ピン挿入孔に固定ピンを挿入するように形成されていることから、ハンドホールに入れる前に、ストロークパイプの長さを固定ピンとピン挿入孔により予め調整しておき、ハンドホール内への取り付け作業を円滑に行うことができる。
【００２９】
また、落下防止部材は、ケブラー繊維を素材とする防護ベルトや防護ネットであることから、ハンドホール蓋をしっかりと受け止めてハンドホール蓋の落下を確実に防止できると共に、防錆・耐食性に富んだハンドホール蓋の落下防止装置を提供することができる。
【図面の簡単な説明】
【００３０】
【図１】ハンドホール蓋の落下防止装置を構成しているパイプ治具の形状を示す斜視図である。
【図２】ハンドホール蓋の落下防止装置を構成しているパイプ治具の形状を示す側面図である。
【図３】アジャスタボルトの構成例を示すもので、（ａ）はアジャスタボルトにボルトの回転防止用ナットを備えているものの斜視図、（ｂ）はアジャスタボルトにボルトの回転防止用ナットを備えていないものの斜視図である。
【図４】ラチェット型トルクレンチを使用して、アジャスタボルトをネジ送りしている状態を示す斜視図である。
【図５】アジャスタボルトにボルトの回転防止用ナットを備えている場合において、ボルトの回転防止用ナットを締め付けている経過を示すもので、（ａ）はアジャスタボルトの圧着部がハンドホール内壁面に押し付けられ、ハンドホール内壁面に対して突っ張り状に固定されている状態において、アジャスタボルト螺着用ナット部側に位置している一方のボルトの回転防止用ナットを回転させようとしている状態を示す側面図、（ｂ）はアジャスタボルト螺着用ナット部側に位置している一方のボルトの回転防止用ナットを回転させて、アジャスタボルト螺着用ナット部の側面に強く当てている状態を示す側面図、（ｃ）は他方のボルトの回転防止用ナットを回転させて、一方のボルトの回転防止用ナットの側面に強く当てている状態を示す側面図である。
【図６】長さ調整部の構成例を示すもので、（ａ）は固定ピンの斜視図、（ｂ）はメインパイプとストロークパイプの互いに合致している両ピン挿入孔に、固定ピンを挿入した状態の斜視図である。
【図７】ハンドホール内にパイプ治具を取り付けた状態を示す側面図である。
【図８】ハンドホール内に２個のパイプ治具を取り付け、２個のパイプ治具に２本の防護ベルトを用いた落下防止部材を取り付けている状態を示す斜視図である。
【図９】２個のパイプ治具に防護ネットを用いた落下防止部材を取り付けている状態を示す斜視図である。
【発明を実施するための形態】
【００３１】
以下に、図面を参照して、本発明を実施するための形態を詳細に説明する。
【００３２】
本発明に係るハンドホール蓋の落下防止装置は、図１・図８・図９に示すように、２個のパイプ治具１と、２個のパイプ治具１の間に取り付けた落下防止部材１１により構成されている。この２個のパイプ治具１は、図７・図８に示すように、ハンドホールＨ内に固定されるものである。
【００３３】
ハンドホール蓋の落下防止装置を構成するパイプ治具１は、図１・図２に示すように、それぞれの端部に複数のアジャスタボルト２を取り付けているメインパイプ１ａとストロークパイプ１ｂを、長さ調整可能に接続して形成されている。
【００３４】
パイプ治具１を構成するメインパイプ１ａには、図１・図３（ａ）に示すように、その一方の開口端部の外周面において、１２０度間隔毎に、合計３個のアジャスタボルト螺着用ナット部３が設けられている。このアジャスタボルト螺着用ナット部３は、メインパイプ１ａとナット部分の間に所定の台座部を有しており、ナット部分がメインパイプ１ａから若干離れるようにメインパイプ１ａに固定されている。
【００３５】
これらの各アジャスタボルト螺着用ナット部３は、ナット部分のネジ孔がメインパイプ１ａの長手方向に沿うようにメインパイプ１ａに設けられおり、このネジ孔には、外側からアジャスタボルト２がねじ込まれるようになっている。
【００３６】
このアジャスタボルト２の外側を向く一端部には、略円柱形状の圧着部２ａが固定されている。圧着部２は、硬質ゴム等を素材として形成されており、その端面には、所定の滑り止め加工が施されている。また、アジャスタボルト螺着用ナット部３のネジ孔にねじ込んだ後のアジャスタボルト２において、内側を向く他端部には、溶接等の手段を用いて係止用ナット４が固定されている。
【００３７】
さらに、この係止用ナット４とアジャスタボルト螺着用ナット部３との間に露出しているアジャスタボルト２の部分には、図３（ａ）・図５（ａ）乃至（ｃ）に示すように、２個のボルトの回転防止用ナット５が螺着されている。
【００３８】
尚、図３（ｂ）に示すように、このボルトの回転防止用ナット５をアジャスタボルト２に取り付けることなく、パイプ治具１を構成しても良い。
【００３９】
また、メインパイプ１ａの他方の開口端側には、横向きコ字枠状のグリップ部１０が設けられている。
【００４０】
一方、パイプ治具１を構成するストロークパイプ１ｂにも、図１・図２に示すように、その一方の開口端部の外周面において、１２０度間隔毎に、合計３個のアジャスタボルト螺着用ナット部３が設けられている。
【００４１】
これらの各アジャスタボルト螺着用ナット部３は、ナット部分のネジ孔がメインパイプ１ａの長手方向に沿うようにメインパイプ１ａに設けられおり、このネジ孔には、外側からアジャスタボルト２がねじ込まれるようになっている。
【００４２】
このアジャスタボルト２の外側を向く一端部には、略円柱形状の圧着部２ａが固定されている。圧着部２は、硬質ゴム等を素材として形成されており、その端面には、所定の滑り止め加工が施されている。また、アジャスタボルト螺着用ナット部３のネジ孔にねじ込んだ後のアジャスタボルト２において、内側を向く他端部には、溶接等の手段を用いて係止用ナット４が固定されている。
【００４３】
さらに、この係止用ナット４とアジャスタボルト螺着用ナット部３との間に露出しているアジャスタボルト２の部分には、図１・図２に示すように、２個のボルトの回転防止用ナット５が螺着されている。
【００４４】
尚、このボルトの回転防止用ナット５をアジャスタボルト２に取り付けることなく、パイプ治具１を構成しても良い。
【００４５】
そして、メインパイプ１ａとストロークパイプ１ｂは、所定の長さ調節部を介して接続されている。
【００４６】
具体的には、メインパイプ１ａには、図１・図２に示すように、他方の開口端から略中央にかけて、自身の長手方向に沿うようにして、複数のピン挿入孔６を等間隔に設けている。このピン挿入孔６は、メインパイプ１ａの上下方向に貫通するものである。
【００４７】
一方、ストロークパイプ１ｂは、図１・図２に示すように、メインパイプ１ａの他方の開口端側から内部へ挿入できるように、ストロークパイプ１ｂの外径が、メインパイプ１ａの内径よりも若干小さくなるように形成されている
【００４８】
また、図１・図２に示すように、ストロークパイプ１ｂの他方の開口端から略中央にかけて、自身の長手方向に沿うようにして、複数のピン挿入孔６を等間隔に設けている。このピン挿入孔６は、ストロークパイプ１ｂの上下方向に貫通するものである。また、ストロークパイプ１ｂのピン挿入孔６は、メインパイプ１ａのピン挿入孔６に対応するように位置している。
【００４９】
そして、ストロークパイプ１ｂの他方の開口端が、メインパイプ１ａの他方の開口端側からメインパイプ１ａの内部に挿入されてパイプ治具１が構成されるが、このとき、メインパイプ１ａとストロークパイプ１ｂのピン挿入孔６同士を任意の位置で合致させて、パイプ治具１全体の長さを調節する。
【００５０】
この合致しているメインパイプ１ａとストロークパイプ１ｂのピン挿入孔６に固定ピン７を挿入して、パイプ治具１の所定の長さを維持させるのである。
【００５１】
固定ピン７は、図６（ａ）に示すように、基端部側にフランジ部７ａを設け、先端部側の周面には、バネ圧係止式のストッパー８が挿入される挿入孔７ｂが貫設されている。
【００５２】
このストッパー８は、Ｕ字型のピンの一端側を波状に窪ませてあり、ピンの他端側を挿入孔７ｂに挿入した際には、図６（ｂ）に示すように、この窪み部分により固定ピン７の周面が保持されるようになっている。これらのストッパー８と固定ピン７は、ワイヤー９を介して連結されている。
【００５３】
そして、図１・図２に示すように、ストロークパイプ１ｂの他方の開口端が、メインパイプ１ａの他方の開口端側からメインパイプ１ａの内部に挿入され、互いに合致しているピン挿入孔６に固定ピン７を挿入して、所定の長さを維持しているパイプ治具１を、ハンドホールＨ内に配置するのである。
【００５４】
ハンドホールＨ内に配置したパイプ治具１においては、図４に示すように、ラチェット型トルクレンチＬを用いてメインパイプ１ａ側の係止用ナット４を回転させて、アジャスタボルト２を外側に向けてネジ送りする。同様に、ラチェット型トルクレンチＬを用いてストロークパイプ１ｂ側の係止用ナット４を回転させて、アジャスタボルト２を外側に向けてネジ送りする。
【００５５】
その結果、図７に示すように、メインパイプ１ａ側におけるアジャスタボルト２の圧着部２ａと、ストロークパイプ１ｂ側におけるアジャスタボルト２の圧着部２ａがハンドホールＨ内壁面に強く押し付けられ、パイプ治具１がハンドホールＨ内壁面に対して突っ張り状態となって固定されるのである。
【００５６】
この他、２個のパイプ治具１の間に取り付ける落下防止部材１１としては、例えば、図８に示すように、ケブラー繊維を素材とした長尺な防護ベルトを採用している。この防護ベルトの両端部には、それぞれ面ファスナー部１１ａが付設されており、互いに接続可能になっている。
【００５７】
そして、図８に示すように、２個のパイプ治具１をハンドホールＨ内に固定した後に、２個のパイプ治具１に架け渡すように防護ベルトを巻回し、面ファスナー部１１ａを介して防護ベルトの両端部を接続するのである。この防護ベルトは、２個のパイプ治具１に対し、所定の間隔を開けて２本取り付けられている。
【００５８】
また、落下防止部材１１として、例えば、図９に示すように、ケブラー繊維を素材とした矩形・平面状の防護ネットを採用しても良い。この防護ネットの両側には、複数のフック孔部１２ａを連設している補強縁部１２が設けられている。この補強縁部１２は、フック孔部１２ａを利用して、防護ネットの長さを調節するものである。
【００５９】
そして、２個のパイプ治具１をハンドホールＨ内に固定した後に、２個のパイプ治具１に架け渡すように防護ネットの両端部をそれぞれのパイプ治具１に巻回し、補強縁部１２の任意のフック孔部１２ａを上下方向において合致させ、両フック孔部１２ａにスプリングフック１３を取り付けて、２個のパイプ治具１に巻回している防護ネットの両端部を固定するのである。
【００６０】
次に、以上のように構成されたハンドホール蓋の落下防止装置について、組立・使用の一例について説明する。
【００６１】
まず、図１・図２に示すように、ストロークパイプ１ｂの他方の開口端が、メインパイプ１ａの他方の開口端側からメインパイプ１ａの内部に挿入され、互いに合致しているピン挿入孔６に固定ピン７を挿入して、所定の長さを維持しているパイプ治具１を形成しておく。
【００６２】
この所定の長さを維持しているパイプ治具１は、２個用意しておく。
【００６３】
この２個のパイプ治具１をハンドホールＨ内に持ち込んでから、図４に示すように、ラチェット型トルクレンチＬを用いてメインパイプ１ａ側の係止用ナット４を回転させて、アジャスタボルト２を外側に向けてネジ送りする。同様に、ラチェット型トルクレンチＬを用いてストロークパイプ１ｂ側の係止用ナット４を回転させて、アジャスタボルト２を外側に向けてネジ送りする。
【００６４】
その結果、図７・図８に示すように、メインパイプ１ａ側におけるアジャスタボルト２の圧着部２ａと、ストロークパイプ１ｂ側におけるアジャスタボルト２の圧着部２ａがハンドホールＨ内壁面に強く押し付けられ、２個のパイプ治具１がハンドホールＨ内壁面に対して突っ張り状態となって固定される。
【００６５】
このとき、図５（ａ）乃至（ｃ）に示すように、アジャスタボルト２に螺着されている２個のボルトの回転防止用ナット５を、アジャスタボルト螺着用ナット部３側に締め付けておく。これにより、アジャスタボルト２が内側に向けて移動するような回転を阻止し、ハンドホールＨ内壁面に対する突っ張り状態の緩みを防止している。
【００６６】
具体的には、メインパイプ１ａのアジャスタボルト螺着用ナット部３に取り付けているアジャスタボルト２の圧着部２ａが、ハンドホールＨ内壁面に強く押し付けられ、パイプ治具１がハンドホールＨ内壁面に対して突っ張り状態となって固定されている状態において、図５（ａ）（ｂ）に示すように、アジャスタボルト螺着用ナット部３側に位置している一方のボルトの回転防止用ナット５を回転させて、アジャスタボルト螺着用ナット部３の側面に強く当てる。
【００６７】
次に、図５（ｃ）に示すように、他方のボルトの回転防止用ナット５を回転させて、一方のボルトの回転防止用ナット５の側面に強く当てるのである。
【００６８】
同様に、ストロークパイプ１ｂのアジャスタボルト螺着用ナット部３に取り付けているアジャスタボルト２の圧着部２ａが、ハンドホールＨ内壁面に強く押し付けられ、パイプ治具１がハンドホールＨ内壁面に対して突っ張り状態となって固定されている状態において、アジャスタボルト螺着用ナット部３側に位置している一方のボルトの回転防止用ナット５を回転させて、アジャスタボルト螺着用ナット部３の側面に強く当てる。
【００６９】
次に、他方のボルトの回転防止用ナット５を回転させて、一方のボルトの回転防止用ナット５の側面に強く当てるのである。
【００７０】
そして、図８に示すように、２個のパイプ治具１をハンドホールＨ内に固定した後に、２個のパイプ治具１に架け渡すように２本の防護ベルトを巻回し、面ファスナー部１１ａを介して防護ベルトの両端部を接続する。このようにして、２個のパイプ治具１に対し、所定の間隔を開けて２本の防護ベルトを取り付けるのである。
【００７１】
また、落下防止部材１１として防護ネットを用いるときは、図９に示すように、２個のパイプ治具１をハンドホールＨ内に固定した後に、２個のパイプ治具１に架け渡すように防護ネットの両端部をそれぞれのパイプ治具１に巻回し、補強縁部１２の任意のフック孔部１２ａを上下方向において合致させ、両フック孔部１２ａにスプリングフック１３を取り付けて、２個のパイプ治具１に巻回している防護ネットの両端部を固定するのである。
【産業上の利用可能性】
【００７２】
本発明は、ハンドホール蓋がハンドホール内に落下してしまう事故の発生を防止するために使用する以外に、例えば、高架電線の鉄塔、トンネルやエレベータ等の縦穴内における工事等において、種々の重量物の落下を防止するための装置としても幅広く利用することができる。
【符号の説明】
【００７３】
Ｈ…ハンドホール
Ｌ…ラチェット型トルクレンチ
１…パイプ治具
１ａ…メインパイプ
１ｂ…ストロークパイプ
２…アジャスタボルト
２ａ…圧着部
３…アジャスタボルト螺着用ナット部
４…係止用ナット
５…ボルトの回転防止用ナット
６…ピン挿入孔
７…固定ピン
７ａ…フランジ部
７ｂ…挿入孔
８…ストッパー
９…ワイヤー
１０…グリップ部
１１…落下防止部材（防護ベルト・防護ネット）
１１ａ…面ファスナー部
１２…補強縁部
１２ａ…フック孔部
１３…スプリングフック
【図１】
2010233412.tif 000003
【図２】
2010233412.tif 000004
【図３】
2010233412.tif 000005
【図４】
2010233412.tif 000006
【図５】
2010233412.tif 000007
【図６】
2010233412.tif 000008
【図７】
2010233412.tif 000009
【図８】
2010233412.tif 000010
【図９】
2010233412.tif 000011